(57)【要約】      （修正有）【課題】水抜きを必要とする地盤など砂、玉石、礫、岩盤や泥質地盤やそれらの互層地盤も多いため、掘削孔がふさがり孔明き管の挿入や鋼管の引き抜き回収が困難であった。孔明き管は周面に多数の小孔があるため、回転捻り方向に弱く、プラスチック孔明き管の回転削進埋設は不可能であった。【解決手段】回動ビット１ａ、１ｂの拡開状態での回転駆動手段６による回転駆動及び推進手段７による推進とエアーハンマー２の打撃オーガー３の回転排土作用により、孔明き管４の外径より大径の掘削孔８を削進し、孔明き管４の先端を回転しない状態に削進ビット１に連係して、孔明き管４を掘削孔８内に牽引挿入し、オーガー３及び孔明き管４を次々に接続して牽引する。目的点に到達後削進ビット１とエアーハンマー２とオーガー３を発進側９方向へ引き、回動ビットを回動縮小し孔明き管４内に引戻し発進側９へ回収し、掘削孔８内に孔明き管４を残留して孔明き管４を埋設する。【選択図】図１
2004156296.tif 000002
【特許請求の範囲】
【請求項１】
拡縮回動自在な回動ビット付削進ビットとエアーハンマーとオーガーを備え、回動ビットの拡開状態での削進ビットの回転駆動推進とエアーハンマーの打撃、及びオーガーの回転排土で孔明き管の外径より大径の掘削孔を削進すると共に、孔明き管の先端を回転しない状態に削進ビットに連係して、該孔明き管をその外径より大径な掘削孔内に牽引挿入し、削進の進行に伴い発進側で設定長のオーガーを次々に接続すると共に設定長の孔明き管を次々に接続して牽引し、
目的点に到達し回動ビット付削進ビットとエアーハンマーとオーガーを発進側方向へ引き、削進ビットの回動ビットの先端を孔明き管の内径より内方に回動縮小して、削進ビットを孔明き管内に引戻し、その状態で回動ビット付削進ビットとエアーハンマーとオーガーを孔明き管内を通して発進側へ回収し、掘削孔内に孔明き管を残留することによって、孔明き管を埋設するようにしたことを特徴とする、
水抜き用、吸水用等の各種孔明き管を埋設する方法
【発明の詳細な説明】
【０００１】
【産業上の利用分野】
傾斜地、トンネル内等、地面に滲みこんだ水を排水するための水抜き用の孔明き管（排水管）、若しくは、地面に井戸を掘る際に埋設する孔明き管（吸水管）等の各種各用の孔明き管を埋設する方法を提供する。
【０００２】
【従来の課題】
従来、傾斜地、トンネル内等、地面に滲みこんだ水を排水するための水抜き用の孔明き管（排水管）、若しくは、地面に井戸を掘る際に埋設する孔明き管（吸水管）等の各種各用の孔明き管を埋設する方法として、
１．孔明き管埋設用の孔を削進装置でボーリングした後、該掘削孔内に孔明き管を挿入して埋設する、
２．地盤の削進装置でボーリングと鋼管の埋設を行い、該鋼管内に孔明き管を挿入した後、鋼管を引き抜き回収する、等の方法が行われている。
【０００３】
ところが、もともと水抜きを必要とする地盤や、井戸を掘ろうとするような水を含む地盤は、砂、玉石、礫、岩盤や泥質地盤が多く、それらの互層地盤も多いため、削進装置を回収した後、孔明き管を挿入するまでの間に、崩れやすい地盤（例、泥質、砂、礫、玉石）や泥質地盤は、孔がふさがってしまって孔明き管の挿入が大変に困難であったり、ジャミング等によって鋼管の引き抜き回収が極めて困難な場合が多く、上記の従来工法を一層困難なものにしていた。
【０００４】
また、従来、水抜き、吸水等用の孔明き管として、プラスチック管（例、塩ビ管）やステンレス管、鋼管等が使用されているが、近時は特に塩ビ管のようなプラスチック管が多用されている。
ところが、プラスチック管（例、塩ビ管）は鋼管等の金属管に比して強度が格段に劣る課題があった。
【０００５】
その上、孔明き管は周面に多数の小孔を穿設しているため通常の管に比して、回転捻り方向の負荷に対して格段に弱く、プラスチック孔明き管（例、塩ビ管）は特に弱いため、埋設のために回転削進することは不可能であった。
【０００６】
そこで、プラスチック孔明き管（例、塩ビ管）のように軟弱・脆弱なために回転削進・推進に不適当な孔明き管を埋設する場合は、回転せずにまた強い抵抗なしに推進乃至牽引して埋設することが課題とされていたが、そのような手段は全く提供されていなかったものである。
【０００７】
【発明の先願発明】
図５〜図８を参照。
出願人・発明者は先に特開２００１−３２６６６号「地盤の削進装置の削進ビット」をもって、拡縮回動自在な回動ビット付削進ビット１０１とエアーハンマー１０２とオーガー１０３、及び、クラウンビット付鋼管１０４を備え、回動ビット１０１ａ、１０１ｂを枢軸１０５を支点として拡開した状態における削進ビット１０１の回転駆動手段１０６による回転駆動と推進手段１０７による推進、エアーハンマー１０２の打撃、及びオーガー１０３の回転排土（回転駆動手段１０６）で鋼管１０４の外径より大径の掘削孔１０８を削進して鋼管１０４を牽引すると共に、
【０００８】
回動ビット１０１ａ、１０１ｂを枢軸１０５を支点として設定角度前方へ回動縮小して削進ビット１０１を鋼管１０４内に引戻した状態における鋼管１０４の回転駆動推進でそのクラウンビット１０４ａにより鋼管１０４を削進し、
【０００９】
また、回動ビット１０１ａ、１０１ｂを縮小して削進ビット１０１を鋼管１０４内に引戻した状態から削進ビット１０１、エアーハンマー１０２、及び、オーガー１０３を該鋼管１０４内を通して発進坑１０９内への引戻し回収して、地盤の削進及び鋼管の埋設を行うようにした装置を提供したものである。
【００１０】
【発明が解決した課題】
そこで、本発明は、上記の先願発明装置、及び該装置により地盤を削進し鋼管を埋設する方法を利用、応用して、特に、回転捻り方向の負荷に対して格段に弱い孔明き管、就中、孔明きプラスチック管（例、塩ビ管）のように回転削進・推進に不適当な孔明き管を埋設するために、該管を回転せずに、また抵抗なしに牽引して極めて容易に埋設できるようにした、水抜き用、吸水用等の各種孔明き管を埋設する方法を開発提供して、上記従来の課題を解決したものである。
【００１１】
【課題を解決する手段】
即ち、本発明は、拡縮回動自在な回動ビット付削進ビットとエアーハンマーとオーガーを備え、回動ビットの拡開状態での削進ビットの回転駆動推進とエアーハンマーの打撃、及びオーガーの回転排土で孔明き管の外径より大径の掘削孔を削進すると共に、孔明き管の先端を回転しない状態に削進ビットに連係して、該孔明き管をその外径より大径な掘削孔内に牽引挿入し、削進の進行に伴い発進側で設定長のオーガーを次々に接続すると共に設定長の孔明き管を次々に接続して牽引し、
【００１２】
目的点に到達し回動ビット付削進ビットとエアーハンマーとオーガーを発進側方向へ引き、削進ビットの回動ビットの先端を孔明き管の内径より内方に回動縮小して、削進ビットを孔明き管内に引戻し、その状態で回動ビット付削進ビットとエアーハンマーとオーガーを孔明き管内を通して発進側へ回収し、掘削孔内に孔明き管を残留することによって、孔明き管を埋設するようにしたことを特徴とする水抜き用、吸水用等の各種孔明き管を埋設する方法によって、課題を解決したものである。
【００１３】
【実施例】
実施例を説明する。
図１〜図４を参照。
拡縮回動自在な回動ビット付削進ビット１とエアーハンマー２とオーガー３を備え、回動ビット１ａ、１ｂの拡開状態での削進ビット１の回転駆動手段６による回転駆動及び推進手段７による推進とエアーハンマー２の打撃、及びオーガー３の回転排土作用によって、孔明き管４の外径より大径の掘削孔８を削進すると共に、
【００１４】
孔明き管４の先端を回転しない状態（鋼管埋設の場合と相違して回転駆動しない。）に削進ビット１に、例えば、孔明き管４の先端に取付けたカラー１０を削進ビット１の後端に係合するなどの適宜手段で連係して、該孔明き管４をその外径より大径な掘削孔８内に牽引挿入し、削進の進行に伴い発進側９で設定長のオーガー３を次々に接続すると共に設定長の孔明き管４を次々に接続して牽引し、
【００１５】
目的点に到達し回動ビット１ａ、１ｂ付削進ビット１とエアーハンマー２とオーガー３を発進側９方向へ引き、削進ビット１の回動ビット１ａ、１ｂの先端を枢軸５を支点として孔明き管４の内径より内方に回動縮小して、削進ビット１を孔明き管４内に引戻し、その状態で回動ビット１ａ、１ｂ付削進ビット１とエアーハンマー２とオーガー３を孔明き管４内を通して発進側９へ回収し、掘削孔８内に孔明き管４を残留することによって、孔明き管４を埋設するようにしたことを特徴とする水抜き用、吸水用等の各種孔明き管を埋設する方法である。
【００１６】
【効果】
従来、傾斜地、トンネル内等、地面に滲みこんだ水を排水するための水抜き用の孔明き管（排水管）、若しくは、地面に井戸を掘る際に埋設する孔明き管（吸水管）等の各種各用の孔明き管を埋設する場合、もともと水抜きを必要とする地盤や、井戸を掘ろうとするような水を含む地盤は、砂、玉石、礫、岩盤や泥質地盤が多く、それらの互層地盤も多いため、削進装置を回収した後、孔明き管を挿入するまでの間に、崩れやすい地盤（例、泥質、砂、礫、玉石）や泥質地盤は、孔がふさがってしまって孔明き管の挿入が大変に困難であり、また、ジャミング等によって鋼管の引き抜き回収が極めて困難な課題があったが、
本発明は回動ビットの拡開状態で孔明き管の外径より大径の掘削孔を削進しながら、その大径の掘削孔内に孔明き管を牽引挿入するようにしたので、従来のようなトラブルなしに、簡単かつスムーズに孔明き管を埋設できる優れた特徴がある。
【００１７】
また、孔明き管は周面に多数の小孔を穿設しているため通常の管に比して、強度特に回転捻り方向の負荷に対して格段に弱く、就中、孔明きプラスチック孔明き管（例、塩ビ管）は弱いため、従来の鋼管を埋設する場合のように、該管を回転駆動しまた自ら削進して埋設するようなことは不可能であったが、その点、本発明は、プラスチック孔明き管（例、塩ビ管）のように軟弱・脆弱なために回転削進・推進に不適当な孔明き管を埋設するために、該孔明き管自体は回転駆動せずに、強い抵抗なしに大径孔内に牽引して埋設するようにしたので、プラスチック孔明き管（例、塩ビ管）のように軟弱・脆弱な孔明き管でも極めて容易かつ効率的に埋設できる画期的な特徴がある。
【図面の簡単な説明】
【図１】本発明方法を実施するために用いる地盤の削進装置（図４）の削進ビット（回動ビット拡開状態）及び先頭の孔明き管部分の一部切断拡大正面図。
【図２】図２の右側面図。
【図３】図１の回動ビットを前方回動（縮小）して削進ビットを孔明き管内に引戻し、孔明き管を残して、削進ビット等を回収する状態を示す図。
【図４】本発明方法を実施するために用いる地盤の削進装置の１例の構成概略を示す図。
【図５】従来例装置の実施例削進ビット（回動ビット拡開状態）及び先頭の鋼管部分の一部切断拡大正面図。
【図６】図５の右側面図。
【図７】図５の回動ビットを前方回動（縮小）して削進ビットを鋼管内に引戻した状態を示す図。
【図８】図５の実施例削進ビットを使用する地盤の削進装置の１例の構成概略を示す図。
【符号の説明】
１    削進ビット
１ａ  回動ビット
１ｂ  回動ビット
２    エアーハンマー
３    オーガー
４    明き管
５    枢軸
６    回転駆動手段
７    推進手段
８    掘削孔
９    発進側
１０  カラー
以下、従来例
１０１    削進ビット
１０１ａ  回動ビット
１０１ｂ  回動ビット
１０２    エアーハンマー
１０３    オーガー
１０４    鋼管
１０５    枢軸
１０６    回転駆動手段
１０７    推進手段
１０８    掘削孔
１０９    発進坑
１１０    クラウンビット
【図１】
2004156296.tif 000003
【図２】
2004156296.tif 000004
【図３】
2004156296.tif 000005
【図４】
2004156296.tif 000006
【図５】
2004156296.tif 000007
【図６】
2004156296.tif 000008
【図７】
2004156296.tif 000009
【図８】
2004156296.tif 000010